(57)【要約】  本発明は、光プロジェクタを記述し、特に自動車用の光プロジェクタであり、光出口開口５を有する光プロジェクタケース１と、光出口開口５及び発光源３を覆うカバーディスク２と、加熱装置とを備え、該加熱装置は、赤外線放射源４である。
2008537840.tif 000002
【特許請求の範囲】
【請求項１】
光出口開口（５）を有する光プロジェクタケース（１）と、
上記光出口開口（５）及び発光源（３）を覆うカバーディスク（２）と、
加熱装置と、を備え、
上記加熱装置は、赤外線放射源（４）であることを特徴とする光プロジェクタ。
【請求項２】
上記赤外線放射源（４）は、その放射が上記カバーディスク（２）の方へ向けられるように位置決めされる、請求項１記載の光プロジェクタ。
【請求項３】
上記発光源は発光ダイオード（３）である、請求項１又は２記載の光プロジェクタ。
【発明の詳細な説明】
【技術分野】
【０００１】
本発明は、光プロジェクタに関し、特に自動車用の光プロジェクタであって、光出口開口を有する光プロジェクタケースと、上記光出口開口及び発光源を覆うカバーディスクと、加熱装置とを備える光プロジェクタに関する。
【背景技術】
【０００２】
例えば自動車用の前照灯、尾灯、及び他の照明装置のような光プロジェクタは、規則として、特別な氷結防止器具又は曇り防止用器具を要求できず、従来のハロゲンランプ又はガス放電ランプが使用されている。それらのランプは、氷及び雪を溶かすに十分な熱を発生し、結露による曇りを除去する。一方、発光ダイオード（ＬＥＤ）のような冷照明装置を有する光プロジェクタや、キセノンランプを有する光プロジェクタでさえ、十分な熱は発生せず、よって解凍力は非常に低い。光プロジェクタのカバーディスクにおける氷結又は曇りは、美的理由のみならず厄介なものである。安全性の理由から、光線は、光プロジェクタから放射されるとき、減衰又は拡散すべきではない。
【０００３】
自動車のヘッドライトにおいて、好ましくはＰＴＣ（正温度係数）加熱エレメントである加熱装置がケース内に設けられることは、ＤＥ１０３４６２７０Ａから公知である。ＤＥ１０３４６２７０Ａでは、例えばハロゲンランプのような大きな赤外線部品を有する従来の光源とＰＴＣ加熱エレメントとの組み合わせについても記載されている。しかしながら、ＬＥＤヘッドライトの基本的な利点は、小さい構成スペース及び高いデザイン自由性である。よって、ハロゲンとＬＥＤを組み合わせたヘッドライトは、望まれていない。
【０００４】
ＪＰ２００３１９７０１３Ａは、カバーディスク内に熱線を組み込むことを記載している。しかし、従来の熱線は、はっきりと見え、美的理由から受け入れられない。氷結防止用器具に要求されることは、見えないこと、又は視認困難なことである。
【特許文献１】ＤＥ１０３４６２７０Ａ
【特許文献２】特開２００３−１９７０１３号公報
【発明の開示】
【発明が解決しようとする課題】
【０００５】
本発明の目的は、特に自動車用で、簡単な方法にて氷結防止又は結露の除去を可能にする有効な光プロジェクタを提供することである。氷結防止器具は、見えない、又は視認困難なものである。
【課題を解決するための手段】
【０００６】
本発明によれば、加熱装置として赤外線放射源を設けることにより、上記目的は達成される。
本発明は、特に自動車用において、光出口開口を有する光プロジェクタケースと、上記光出口開口及び発光源を覆うカバーディスクと、加熱装置とを備え、上記加熱装置は、赤外線放射源である。
【０００７】
知られているサーチライト、スポットライト、フラッドライト及びヘッドライト、特に自動車のヘッドライトとして光プロジェクタは、適切である。光源としてＬＥＤを有する光プロジェクタが好ましい。
【０００８】
光出口開口を覆うカバーディスクは、透明な材料からなるのがよい。その表面は、構造化又は非構造化可能である。又、カバーディスクは、幾つかの層から構成可能である。例えば、珪酸塩ガラスが使用可能である。透明な熱可塑性材も使用可能である。熱可塑性材は、ラッカーが塗られても塗られなくてもよい。市販の耐スクラッチラッカーがラッカーとして考慮される。例えばシロキサン、ポリウレタン、又はアクリル酸塩系の材料である。
【０００９】
熱可塑性材として、例えば、ジフェノール、ポリアクリル酸塩、コポリアクリル酸塩系のポリカーボネート又はコポリカーボネート、及びポリメタクリル酸塩又はコポリメタクリル酸塩、好ましくはポリメチルメタクリル酸塩、スチレンを有するポリマー又はコポリマー、好ましくは透明なポリスチレン又はポリスチレンアクリロニトリル（ＳＡＮ）、透明な熱可塑性ポリウレタン、及び、また、ポリオレフィン、好ましくは透明なポリプロピレンタイプ、又は環状のオレフィン系のポリオレフィン（例えばTopas(登録商標)、Ticona）、重縮合体、テレフタル酸の共縮合体、好ましくはポリエチレンテレフタル酸塩、コポリエチレンテレフタル酸塩（ＰＥＴ又はＣｏＰＥＴ）又はグリコール修飾ＰＥＴ（ＰＥＴＧ）が適切である。
【００１０】
光プロジェクタのカバーディスク用として特に好ましいものは、珪酸塩ガラス、ビスフェノールＡポリカーボネート、ビスフェノールＡから形成されたコポリカーボネート、及び１，１−ビス（４−ヒドロキシフェニル）−３，３，５−トリメチルシクロヘキサン、並びに、また、ポリメチルメタクリル酸塩及びコメチルメタクリル酸塩である。
【００１１】
本発明によれば、加熱装置として赤外線放射源が光プロジェクタケース内に設けられる。８００ｎｍから３００００ｎｍ内の最大放射範囲、好ましくは１５００ｎｍから５０００ｎｍ内の液体吸収範囲、又は放射材料の吸収帯の範囲内を有する赤外線放射源（ＩＲ放射源）が好ましい。赤外線放射源により生じる加熱プロセスは、熱エネルギーが電磁放射により伝達されることから、高い経済効率により特徴付けられる。放射体は、赤外線放射を吸収し、それを熱に変換する。放射源として、例えばＤＥ３９２７２６４Ａに開示されるような、ＩＲレーザ、ＩＲＬＥＤ、又は抵抗に基づいたＩＲ放射体が使用可能である。それらは、円筒状の放射体、球形状の放射体、又は点エミッタの構成にて使用可能である。物理的に小さいサイズで比較的高出力であるとともに、丈夫で高エネルギー効率が可能な理由により、抵抗に基づくＩＲ放射体が好ましい。
【００１２】
赤外線放射源は、少なくともカバーディスクの範囲が照らされるような方法にてカバーディスクの方へ向けられるのが好ましい。このことは、例えばＩＲ放射源が適切な方法で位置決めされることにより、及びカバーディスクの方向に主たる放射が起こることにより、直接の方法で達成可能である。しかしながら、このことは、別の方法として、ＩＲ放射がカバーディスクの範囲に集束されるか、カバーディスクのより広い範囲を超えて分布されるかのいずれかにより、又は、金属あるいはセラミックの反射体を適切に配置することにより、直接の方法で達成可能である。抵抗に基づくＩＲ放射体により生じる伝達熱は、また、光プロジェクタを加熱するために供給可能である。
【００１３】
一若しくは複数のＬＥＤ加熱エレメントの配置は、光プロジェクタの特別なデザインに依存する。配置は、ＩＲエミッターのＩＲ放射が拡散、吸収又は反射による可能な限り少ない損失にてカバーディスクに当たるという点にて選択されるのが好ましい。
【００１４】
市販のＩＲ放射源が使用可能である。適切なＩＲ放射源の例は、英国のレッドルースのScitec製、ＩＲエミッターＩＲ−１２Ｋである。
【発明を実施するための最良の形態】
【００１５】
本発明による光プロジェクタの実施形態が添付の図１に示されている。光プロジェクタケース１の光出口開口５にカバーディスク２が設けられる。４つのＬＥＤ３が光プロジェクタケース１内に設けられる。加熱装置としての赤外線放射源４もまた、ケース１内に設けられる。赤外線放射源４は、赤外線放射がカバーディスク２方向へ向けられるように配置される。又、２つ以上のＩＲ放射源が同様の位置に配置可能である。又、光プロジェクタケース１内にてＩＲ放射源の他の配置位置も可能であり、ＩＲ放射がカバーディスクの方へ向けられるような方法にてＩＲ放射源が配向可能である。例えば、ＩＲ放射源は、カバーディスクの後ろで後半に隣接して位置決め可能である。
【図面の簡単な説明】
【００１６】
【図１】本発明の実施形態による光プロジェクタを示す図である。
【図１】
2008537840.tif 000003
【国際調査報告】
2008537840.tif 000004
2008537840.tif 000005
2008537840.tif 000006
2008537840.tif 000007